(57)【要約】  【課題】  本発明は、金具快速取付け、取り外し可能な連結具に関し、リニアスライドレールに応用される。  【解決手段】  連結具の固定翼を利用して前記エンドカバーの取付け穴を通過することにより、当該固定翼がエンドカバーの取付け穴の溝を通過していくにつれて、この連結具の固定翼の固締重ね面が対応してこのエンドカバーのロールスピニング重ね面に当接され、かつこのロールスピニング重ね面の円弧状斜め構造により、このエンドカバーはロールスピニングの底部が所定位置まで回転して段差を生じさせる。従って、このエンドカバーがロールスピニング重ね面にロールスピニングされ当該連結具の固定翼の固締重ね面に固く締付けて定位される。【選択図】  図３
2007016872.tif 000002
【特許請求の範囲】
【請求項１】
スライドレール、スライダ、両エンドカバー及び連結具から構成される金具快速取付け、取り外し可能な連結具であって、
前記エンドカバーは、前記スライダの両端に対応して取付け穴が貫設され、この取付け穴内に複数の溝及び突出するように斜めに設けられたロールスピニング重ね面を周設し、このロールスピニング重ね面の底部が前記溝に隣接され、
連結具は、前記スライダ及び前記エンドカバーに当接して固定する部材で、その一端がスライダに固定され、他端には固定翼を突設され、この固定翼が対応するエンドカバーの一方に固締重ね面が設けられ、端部は、このエンドカバーの取付け穴を通し、前記固定翼がエンドカバーの取付け穴の溝を通過していくにつれて、この連結具の固定翼の固締重ね面が対応してエンドカバーのロールスピニング重ね面に当接され、かつ、このロールスピニング重ね面の円弧状斜め構造により、また前記エンドカバーは、ロールスピニング重ね面の底部が所定位置まで回転され段差を生ずることによって、このエンドカバーは、ロールスピニング重ね面が前記連結具の固定翼の固締重ね面をロールスピニングして緊迫定位することを特徴とする連結具。
【請求項２】
前記スライドレールは、スライドウェーであって、
前記スライダは、直線に沿いながら前記スライドレール上に運行可能で、かつこのスライダがスライドレールを沿いその縦方向の両端にそれぞれ固定穴及び複数のねじ穴が設けられ、
両エンドカバーは、前記スライダの両端に対応し、一方に油路溝を設け、かつその両側に取付け穴及び複数のねじ穴が貫設され、この取付け穴内に複数の溝及び斜め構造のロールスピニング重ね面を備えて、このロールスピニング重ね面の底部は前記溝に隣接され、
前記連結具は、締付け機能及び位置決め機能を兼ねていると共に、ノズルピースの継ぎ手とすることを特徴とする請求項１記載の金具快速取付け、取り外し可能な連結具。
【請求項３】
前記エンドカバーの取付け穴のロールスピニング重ね面は、円弧状斜め構造を有することを特徴とする請求項１又は請求項２記載の金具快速取付け、取り外し可能な連結具。
【請求項４】
前記エンドカバーの取付け穴のロールスピニング重ね面は、螺旋状斜め構造を有することを特徴とする請求項１又は請求項２記載の金具快速取付け、取り外し可能な連結具。
【請求項５】
前記エンドカバーの取付け穴内は、油路口が設けられ、かつ、このエンドカバーの油路溝に連通することを特徴とする請求項１又は請求項２記載の金具快速取付け、取り外し可能な連結具。
【発明の詳細な説明】
【技術分野】
【０００１】
本発明は、リニアスライドレールの付属部品などに組付けるための金具を快速に取付け取り外すことが可能な連結具に関するものである。
【背景技術】
【０００２】
従来慣用のリニアスライドレールは、既に各種の精密的に摺動すべき設備上に使用され、例えばデジタル制御機器の工作機械、半導体設備、自動溶接機及び運送用装置など、従って、リニアスライドレールは、現に精密的摺動する設備に欠かせない一つの部材であり、そしてリニアスライドレールは、構造の種類が多く、かつ組付態様もそれぞれ異なっているので、如何にして金具を快速に取付けられる連結具として開発することは、現に重要な課題の一つであり、本願の出願人の考案動機でもある。
【０００３】
図１、図２は、従来のリニアガイドの分解図を示している。図から明らかなように、通常のリニアスライドレール構造は、主にスライドレール（１０）、スライダ（１１）、両エンドカバー（１２）及び両密封片（１３）から構成され、前記スライドレール（１０）にスライダ（１１）を設け、さらにこのスライダ（１１）が前記スライドレール（１０）に対して滑らかに移動することができ、またスライダー（１１）の両側にはエンドカバー（１２）が接続される。他には、両密封片（１３）をさらに前記エンドカバー（１２）の両側に張り合わせることで、複数のねじ（１４）及びノズルチップ（１５）により、リニアスライドレールの組合せを完成することができる。
【０００４】
しかし、このような従来のリニアスライドレールを実際に組み付けるのに際して、下記のように、直ちに改善すべき欠点が存在している。
【０００５】
その一つ、今の従来リニアガイドにおいて、殆どの取付け動作は、まず両エンドカバー（１２）、両密封片（１３）をスライダ（１１）上に取付けてから、複数のねじ、ボルト（１４）またはノズルチップ（１５）により、固く締付けて固定する。
【０００６】
そのため、従来のリニアガイドを取り外すの際にも、ねじを取り外す動作を繰り返して行わなければならないため、全てのリニアスライドレールに対して多くのねじを取付け、取り外す必要があるので、作業員が取付け、または保守するのに、かなりの時間が無駄になる。
【０００７】
その二つ、今の従来リニアスライドレールにおいて、殆どのリニアスライドレールのスライダ（１１）、両エンドカバー（１２）上に何れもノズルチップを固定するためのねじ穴が設けられている。従来のリニアスライダは、エンドカバーモールドを製作する時、さらにタップするための機構を設計し、またはスライダを製造する時にも数多くのねじ穴の加工を行わなければならないので、従来のリニアスライドレールは、製造するコストはかなり高くつく。
【発明の開示】
【発明が解決しようとする課題】
【０００８】
本発明が解決しようとする課題は、構造の種類が多く、かつ組付態様もそれぞれ異なるリニアスライドレールの連結具の取付け取外しに時間がかかる点、また、数多くのねじ穴の加工を行わなければならないので、製造コストがかなり高い点である。
【課題を解決するための手段】
【０００９】
前記課題に鑑みて、本発明者は、詳しく思慮した結果、その上、長年のリニアスライドレールの設計経験を生かして多くの実験、または試作により、金具を快速に取付け、取り外し可能な連結具を開発することができた。
【００１０】
本発明は、主に金具を快速に取付け、取り外し可能な連結具を提供する目的とし、まず連結具により連結具のねじ端をスライダの連結具固定穴に固定し、さらにエンドカバーの重ね面をこの連結具の重ね面に沿いながら回転して締付け効果を生じさせる。これにより、当該連結具は、取付け、取り外し簡単でかつ便利な機能を備え、取付け時間を短縮することができる上で、自動取付けシステムを利用して取付け効果を向上することができる。他にも、当該連結具は、エンドカバーのノズルチップのねじ穴またはねじの代わり効果を有すると同時に、定位柱機能をも備えている。
【００１１】
本発明は、主に金具を快速に取付け、取り外し可能な連結具を提供する他の目的とし、その取付け動作は、主に、まず既に当該スライダの固定穴に締付け固定された連結具のねじ端を取り付け（固定状態にある）、エンドカバー取付け穴の重ね面（ここで、応用例として、ウェッジ状、螺旋状または円弧状がある）に段差を設け、当該エンドカバー取付け穴の重ね面を所定位置（最低点動作から最高点まで）まで回転させ緊迫作用を生じさせる。従って、本発明を取り付けた時、エンドカバーとスライダのねじ穴上に締付け固定されるねじ数が低減され、スライダ上にねじ穴を少なくしてスライダを製造する加工時間を短縮することができる。
【００１２】
さらに、本発明は、金具を快速に取付け、取り外し可能な連結具を提供する他のもう一つの目的とし、本発明の連結具は、代わりにエンドカバーのノズルチップのねじ穴を機能することができるため、本発明を取り付ける際に、エンドカバー及びスライダ上のねじ穴に締付けて固定するねじやボルトが少なくして、またエンドカバーにノズルチップのねじ穴の必要もなくなる。そのため、本発明は、エンドカバーのモールドを作成する時、タップ機構を再設計する必要がないので、射出成形の時間を短縮し、コストの単価も減少できることになる。
【発明の効果】
【００１３】
本発明の金具を快速に取付け取り外しすることが可能な連結具は、リニアスライドレールの付属部品に組付けるために応用され、締付け及び位置付け機能を兼ねていると同時に、ノズルチップの継ぎ手とすることもでき、リニアスライドレールの付属部品の取付け、取り外しが快速に行えるという利点がある。
【発明を実施するための最良の形態】
【００１４】
本発明は、前記の目的を達成するために用いられる技術、手段及びその他の効果などについて、より好ましい三つの実施例を挙げて図面を合わせて下記のように詳しく説明する。
【００１５】
本発明の前記の目的、特徴及びその他の利点に基づいて、より一層深く、かつ具体に理解すべきことは、明らかである。
【００１６】
まず、図３を合わせて参照するように、本発明は、従来のリニアスライドレールのエンドカバーを利用して変化させたものである。エンドカバー上のノズルチップのねじ穴を改良して快速に取り付けられる（リニアスライドレール）連結具が得られ、この金具快速に取付け、取り外し可能な連結具をリニアスライドレールに応用することができる。
【００１７】
従って、本発明は、主にスライドレール２０、スライダ３０、両エンドカバー４０及び複数の連結具５０から構成され、その構造は、詳しく下記のように説明する。
【００１８】
スライドレール２０は、スライドウェーである。スライダ３０は、直線に沿い前記スライドレール２０上に運行され、かつ前記スライドレール２０の縦方向の両端にそれぞれ固定穴３１及び複数のねじ穴３２が設けられる。両エンドカバー４０は、カバーの前記スライダ３０の相対両端に対応し、エンドカバー４０の一側に油路溝を設ける。このエンドカバー４０の両側に取付け穴４３と複数のねじ穴４２とを貫通させ、さらに、このエンドカバー４０の取付け穴４３内に複数の溝４３１及び突出して斜めにしたロールスピニング重ね面４３２が周設される。このエンドカバー４０のロールスピニング重ね面４３２の底部４３２１は溝４３１に隣接する他、エンドカバー４０の取付け穴４３及び複数のねじ穴４２は、それぞれ前記スライダ３０の固定穴３１及び複数のねじ穴３２に対応する。さらにエンドカバー４０の取付け穴４２内に油路口４３３を設け、かつこのエンドカバー４０の油路溝に連通している。複数の連結具５０は、前記のスライダ３０及びエンドカバー４０に固く当接して固定する部材である。
【００１９】
この連結具５０の一端にねじ端５１が含まれ、他端には固定翼５２が突設される。この固定翼５２のエンドカバー４０に対応する一側には固締重ね面５２１が設けられる。さらに連結具５０の固定翼５２の固締重ね面５２１は、エンドカバー４０のロールスピニング重ね面４３２に対応する。この連結具５０は、軸方向にねじ穴５３を貫設して、かつ径方向に複数の油路配送穴５４が貫設される。
【００２０】
前記のように、本発明に係る各部品の互いに関係する位置及びそれらの構造の概略説明であり、また本発明は、前記の目的を達成するために、用いられる技術、手段及びその他の効果などに基づいて、三つのより好ましい実施例を挙げ、さらに図面を合わせて以下のように詳しく説明する。それにより、本発明の前記の目的、特徴及びその他の優点をより深く、かつ具体的に理解できることを確信する。
【実施例】
【００２１】
まず、図３乃至図９を合わせて参照と、本発明は、金具快速に取付け、取り外し可能な連結具を提供する。
【００２２】
本発明は、スライドレール２０、スライダ３０、両エンドカバー４０及び複数の連結具５０からなる金具快速に取付け、取り外し可能な連結具である。使用者は、スライダ３０を直線方向に沿いながらスライドレール２０上に運行され、かつスライダ３０は、スライドレール２０の縦方向の両端にそれぞれ固定穴３１及び複数のねじ穴３２が設けられ、さらにエンドカバー４０の油路溝４１をスライダ３０の相対端に封じる。このエンドカバー４０の取付け穴４３及び複数のねじ穴４２がそれぞれスライダ３０の固定穴３１及び複数のねじ穴３２に対応して締付けるように設けられる。
【００２３】
他にも、使用者が、まず連結具５０のねじ端５１を利用してスライダ３０の固定穴３１上に締付けて固定し、さらにエンドカバー４０の取付け穴（４３）の溝４３１を連結具５０の固定翼５２に貫通させ、最後に、この連結具５０の固定翼５２の固締重ね面５２１をエンドカバー４０のロールスピニング重ね面４３２に対応させる。さらに、このエンドカバー４０の取付け穴４３のロールスピニング重ね面４３２の円弧状斜め構造は、エンドカバー４０のロールスピニング重ね面４３２の底部４３２１を介して所定位置に回転される。
【００２４】
従って、エンドカバー４０のロールスピニング重ね面４３２が回転した段差により、エンドカバー４０の取付け穴４３のロールスピニング重ね面４３２と前記連結具５０の固定翼５２の固締重ね面５２１とにより緊迫定位を達成することができる。言い換えれば、この連結具５０の固定翼５２は、エンドカバー４０の取付け穴４３を通り、固定翼５２は、エンドカバー４０の取付け穴４３の溝４３１を通過していくにつれて、連結具５０の固定翼５２の固締重ね面５２１がエンドカバー４０のロールスピニング重ね面４３２に対して摺動するように当接される。さらに、このロールスピニング重ね面４３２の円弧状斜め構造により、エンドカバー４０は、ロールスピニング重ね面４３２の底部４３２１が所定位置に回転され段差を生じることで、このエンドカバー４０は、ロールスピニング重ね面４３２が連結具５０の固定翼５２の固締重ね面５２１をロールスピニングして緊迫定位することができる。他にも、この連結具５０によって、より取付け、取り外し便利な機能が生じ、かつ取付け時間の短縮、さらに自動取付けシステムを利用して取付け効率を向上することができる。また、この連結具５０は、エンドカバーのノズルチップのねじ穴、またはねじ効果を代わりに利用できると共に、位置決め機能をも備えている。
【００２５】
ここで、説明すべきことは、本発明が提供する金具快速に取付け、取り外し可能な連結具において、連結具５０のねじ穴５１の径方向に貫設された複数の油路配送穴５４を組み付けた時、この連結具５０の油路配送穴５４、エンドカバー４０の油路溝及びエンドカバー４０の油路口４３３は、互いに連通して潤滑剤、または潤滑液の流動に使用することができる。
【００２６】
なお、本発明の連結具５０の設計においては、リニアスライドレールが取り付けられた時、ねじまたはボルトによるエンドカバーとスライダ上に締付け固定するねじ穴を減少することによって、スライダを製造する加工時間を短縮でき、かつエンドカバーのモールドを製造する際にタップ機構の設計をも省くことができる。よって、射出成形時間の短縮、またはコストの単価も低減することができる。
【００２７】
さらに、図１０に示すようなものを合わせて参照するように、本発明の第２実施例が提供する金具快速に取付け、取り外し可能な連結具は、その構造的形態及び効果など前記第１実施例と同一であるため、ここでの説明を省略する。なお第２実施例と第１実施例との相違点は、下記のように説明する。
【００２８】
連結具５０のねじ端５２は、弾性シート状を備えた構造に変え、このような取付け方式により連結具とスライダとの合わせ効果をより増加される。さらに、図１１及び図１２に示すものを参照して、本発明の第３実施例に係る金具快速に取付け、取り外し可能な連結具は、その構造的形態及び効果は、前記第１実施例と同一であるため、ここでの説明を省略する。なお第３実施例と第１実施例との相違点は、下記のように説明する。
【００２９】
連結具５０の複数の固定翼５２は、さらに一対の固定翼５２を増設して、他の付属部品（例えば、スクレーパまたは密封シート等）に重ねて設置することができる。
【００３０】
本発明の装置として、主にスライドレール、スライダ、両エンドカバー及び複数の連結具から構成され、連結具の固定翼を利用してエンドカバーの取付け穴を通しさせ、固定翼がエンドカバーの取付け穴の溝を通過していくにつれて、連結具の固定翼の固締重ね面が前記エンドカバーのロールスピニング重ね面に対して摺動するように当接され、さらに、このロールスピニング重ね面の円弧状斜め構造により、前記エンドカバーは、ロールスピニング重ね面の底部が所定位置に回転され段差を生じることで、このエンドカバーは、ロールスピニング重ね面が前記連結具の固定翼の固締重ね面をロールスピニングして緊迫定位することができる。他にも、当該連結具は、より取付け、取り外し便利な機能を備えているので、リニアスライドレールの取付け効率を向上することができ、締付け機能、位置決め機能のみならず、ノズルチップの継ぎ手としての機能も備えているので、本発明が実用性を備える。
【産業上の利用可能性】
【００３１】
本発明の実施例に掲げた金具快速に取付け、取り外し可能な連結具は、リニアスライドレール上に応用される。
【図面の簡単な説明】
【００３２】
【図１】従来のリニアスライドレールの斜視図。
【図２】従来組合されたリニアスライドレールの分解斜視図。
【図３】本発明のリニアスライドレール及び連結具の分解斜視図。
【図４】本発明のリニアスライドレールのエンドカバーの断面図。
【図５】本発明のエンドカバーのエンドカバー重ね面及び連結具の断面図。
【図６Ａ】本発明の連結具の斜視図。
【図６Ｂ】本発明の連結具の斜視図。
【図６Ｃ】本発明の連結具の側面図。
【図７】本発明の連結具を組合わせた状態を示す斜視図。
【図８】本発明のリニアスライドレール及び連結具を組合わせた状態を示す斜視図。
【図９】本発明のリニアスライドレール及び連結具の組合関係を示す断面図。
【図１０Ａ】第２実施例の連結具の他の構成を示す斜視図。
【図１０Ｂ】第２実施例の連結具の他のもう一つの構成を示す斜視図。
【図１１】第２実施例の連結具のさらにもう一つの構成を示す斜視図。
【図１２】第３実施例の連結具の組合状態を示す斜視図。
【符号の説明】
【００３３】
１０    スライドレール                １１    スライダ
１２    エンドカバー                  １３    密封シード
１４    ねじ                          １５    ノズルピース
２０    スライドレール
３０    スライダ                      ３１    固定穴
３２    複数のねじ穴
４０    エンドカバー                  ４２    ねじ穴
４３    取付け穴                    ４３１    溝
４３２    ロールスピニング重ね面
４３２１    底部
４３３    油路
５０    連結具                        ５１    ねじ端
５２    固定翼部                    ５２１    固締重ね面
５３    ねじ穴                        ５４    油路配送穴
【図１】
2007016872.tif 000003
【図２】
2007016872.tif 000004
【図３】
2007016872.tif 000005
【図４】
2007016872.tif 000006
【図５】
2007016872.tif 000007
【図６Ａ】
2007016872.tif 000008
【図６Ｂ】
2007016872.tif 000009
【図６Ｃ】
2007016872.tif 000010
【図７】
2007016872.tif 000011
【図８】
2007016872.tif 000012
【図９】
2007016872.tif 000013
【図１０Ａ】
2007016872.tif 000014
【図１０Ｂ】
2007016872.tif 000015
【図１１】
2007016872.tif 000016
【図１２】
2007016872.tif 000017